(57)【要約】【課題】構造が比較的簡易で、小型化が可能な扉のロックハンドル装置を提供する。【解決手段】ケース２の軸受け凹部３内に操作軸体５が、錠受け凹部４内に錠前９が設けられる。操作軸体５は、ロック位置と非ロック位置の間を回転する。操作軸体５の前面側にハンドル７が起伏自在に枢支され、起立方向に回転付勢される。錠前９は、施解錠操作でデッドラッチ１０を駆動し、拘束位置でハンドル７を倒伏位置に拘束し、解放位置でハンドルを解放する。カム部材１２は、錠前９の施解錠動作に連動してデッドラッチ１０を拘束、解放位置に置く。錠前９を解錠操作すると、カム部材１２が回転し、デッドラッチ１０が下がり、ハンドル７から外れ、ハンドル７が前方へ起立する。起立したハンドル７を握って操作軸体５を非ロック位置へ回転させる扉のラッチが外れる。【選択図】図３
2015090033.tif 000002
【特許請求の範囲】
【請求項１】
閉扉位置において扉を固定枠体に対してロック・アンロックするラッチ機構を裏面側に備えた扉の前面側に取り付けられ、ラッチ機構をロック位置と非ロック位置に駆動操作するためのロックハンドル装置であって、
前記扉の前面側に固定され、前方に開放する軸受け凹部と、錠受け凹部とを具備するケースと、
前記ケースの軸受け凹部内に、軸線を前後方向に向け、前端を前方に露出させて設けられ、前記ラッチ機構をロック位置と非ロック位置に駆動するように、ロック位置と非ロック位置の間を軸回り回転自在で、軸方向に固定される操作軸体と、
前記操作軸体の前面側に、当該操作軸体の軸線に対して直交方向の枢軸により枢支され、操作軸体の前面に対して起伏自在で、起立方向に回転付勢されるハンドルと、
前記ケースの錠受け凹部内に、鍵穴を前方に露出させて固定され、鍵による施解錠操作で前記ハンドルを倒伏位置に拘束、解放可能な錠前と、
基端部が前記錠受け凹部の奥部に位置し、先端部が倒伏状態の前記ハンドルに係脱自在で、先端側へ移動した拘束位置でハンドルを拘束し、基端側へ移動した解放位置でハンドルを解放するように移動自在で、拘束位置側へ付勢されて前記ケース内に設けられるデッドラッチと、
前記デッドラッチの基端部と前記錠前の後部との間に配置され、錠前の施解錠動作に連動して施錠位置と解錠位置の間を回転自在で、施錠位置において前記デッドラッチを拘束位置に置き、解錠位置においてデッドラッチを解放位置に置くように、前記錠受け凹部の奥部に設けられるカム部材と、を具備し、
前記錠前は、概略円筒状のシリンダケースと、鍵により施錠位置と解錠位置の間を回転操作可能にシリンダケース内に設けられたロータとを具備し、このロータは、後端部の係合部をシリンダケースの後方へ突出させるように設けられ、
前記カム部材は、前記錠前のロータの係合部に係合する対応係合部を具備することを特徴とする扉のロックハンドル装置。
【請求項２】
前記錠前は、前記ケースの錠受け凹部内に選択的に装着可能で、内部錠機構の異なる複数種類からなり、全ての錠前の前記ロータは、後端部に同一形状の係合部を備え、
前記カム部材は、前記いずれの錠前のロータの係合部にも係合する対応係合部を具備することを特徴とする請求項１に記載の扉のロックハンドル装置。
【請求項３】
前記操作軸体は、前面側に開放するハンドル受け凹部と、回転範囲で前記デッドラッチの先端部を相対移動自在に受け入れロック位置においてハンドル受け凹部内へのデッドラッチの先端部の突出を許容するデッドラッチ受け溝とを具備し、
前記ハンドルは、前記操作軸体のハンドル受け凹部内に受け入れられて前記枢軸により枢支される枢止部と、倒伏位置において前記デッドラッチの先端部に係合する係合部とを具備し、この係合部に係合するデッドラッチにより倒伏位置に拘束され、
前記デッドラッチは、基端部において前記錠受け凹部の奥部に設けられたばねにより拘束位置側に付勢され、かつ基端部に、前記カム部材の駆動突部に係合する受動凹部を具備することを特徴とする請求項１又は２に記載の扉のロックハンドル装置。
【発明の詳細な説明】
【技術分野】
【０００１】
本発明は、配電盤等の扉の施解錠のために用いられるロックハンドル装置に関する。
【背景技術】
【０００２】
配電盤等の扉のロックハンドル装置として、特許文献１に記載されたものが知られている。この扉用ロックハンドル装置は、扉に固定され、軸受筒部とハンドル収納部と錠前収納部を前面側に開放するように隣接して形成したハウジングと、軸受筒部に前後方向の回転軸周りに回転自在に嵌挿され、後端角軸部に止め金板が固定された施錠軸と、ハンドル収納部に収納され、基端部において直交枢軸により施錠軸の前端部に起伏回転自在に枢支され起立方向へ回転付勢されたハンドルと、錠前収納部に収納され、ラッチボルトがハンドルの先端部の凹部に進入してハンドルを倒伏位置に拘束する錠前とを具備する。鍵を錠前に挿入して解錠操作すると、ラッチボルトがハンドルの先端部の凹部から脱出してハンドルを解放すると、ハンドルが起立する。ハンドルを握って施錠軸を回転させることにより、止め金板を非ロック方向へ回転させ、固定枠体との係合を解いて扉を開放する。
【先行技術文献】
【特許文献】
【０００３】
【特許文献１】特開２００２−３６４２１０号公報
【発明の概要】
【発明が解決しようとする課題】
【０００４】
扉のロックハンドル装置は、適用箇所により、できる限りの小型化が要請されるが、上記従来の装置の基本構成では、小型化に限界がある。
したがって、この発明は、構造が比較的簡易で、小型化が可能な扉のロックハンドル装置を提供することを目的としている。
【課題を解決するための手段】
【０００５】
以下、添付図面の符号を参照して説明するが、本発明はこれに限定されるものではない。
上記課題を解決するための、本発明のロックハンドル装置１は、閉扉位置において扉Ｄを固定枠体に対してロック・アンロックするラッチ機構を裏面側に備えた扉Ｄの前面側に取り付けられ、ラッチ機構をロック位置と非ロック位置に駆動操作するためのロックハンドル装置である。ケース２は、扉Ｄの前面側に固定され、前方に開放する軸受け凹部３と、錠受け凹部４とを具備する。ケース２の軸受け凹部３内に、軸線を前後方向に向け、前端を前方に露出させるように操作軸体５が設けられる。操作軸体５は、ラッチ機構をロック位置と非ロック位置に駆動するように、ロック位置と非ロック位置の間を軸回り回転自在で、軸方向に固定される。操作軸体５の前面側に、当該操作軸体５の軸線に対して直交方向の枢軸６により、ハンドル７が枢支される。ハンドル７は、枢軸６を中心に、操作軸体５の前面に対して起伏回転自在で、起立方向に回転付勢される。ケース２の錠受け凹部４内に、鍵穴を前方に露出させて錠前９が固定される。錠前９は、鍵による施解錠操作でハンドル７を倒伏位置に拘束し、また解放可能である。デッドラッチ１０が、錠前９とハンドル７との間に渡るようにケース２内に設けられる。デッドラッチ１０は、先端部がハンドル７側、基端部が錠受け凹部４の奥部側に配置され、拘束位置と解放位置との間で移動自在で、拘束位置側へ付勢される。デッドラッチ１０は、拘束位置において先端部が倒伏状態のハンドル７に係合し、解放位置においてハンドル７から離脱する。カム部材１２が、デッドラッチ１０の基端部と錠前９の後部との間に介在して錠受け凹部４の奥部に設けられる。カム部材１２は、錠前９の施解錠動作に連動して施錠位置と解錠位置の間を回転自在で、施錠位置においてデッドラッチ１０を拘束位置に置き、解錠位置においてデッドラッチ１０を解放位置に置く。錠前９は、概略円筒状のシリンダケース９ａと、鍵により施錠位置と解錠位置の間を回転操作可能にシリンダケース９ａ内に設けられたロータ９ｂとを具備する。ロータ９ｂは、後端部の係合部９ｃをシリンダケース９ａの後方へ突出させる。カム部材１２は、ロータの係合部９ｃに係合する対応係合部１２ａを具備し、ロータ９ｂに連動回転する。
【発明の効果】
【０００６】
この発明によれば、構造が比較的簡易で、小型化が可能な扉のロックハンドル装置を提供することができる。
【図面の簡単な説明】
【０００７】
【図１】本発明に係る扉用ロックハンドル装置の正面図である。
【図２】図１の扉用ロックハンドル装置の側面図である。
【図３】図１におけるＩＩI−ＩＩI断面図である。
【図４】（Ａ）は図１の扉用ロックハンドル装置における操作軸体の側面図、（Ｂ）は同Ｂ−Ｂ断面図である。
【図５】（Ａ）は図１の扉用ロックハンドル装置におけるハンドルの側面図、（Ｂ）は同背面図である。
【図６】（Ａ）は図１の扉用ロックハンドル装置におけるデッドラッチの正面図、（Ｂ）は同側面図である。
【図７Ａ】図１の扉用ロックハンドル装置において、錠前を解錠位置に操作した状態の断面図である。
【図７Ｂ】図１の扉用ロックハンドル装置において、ハンドルが起立した後の状態の断面図である。
【図７Ｃ】図１の扉用ロックハンドル装置において、ハンドルが起立位置から倒伏位置へ戻る途上の断面図である。
【発明を実施するための形態】
【０００８】
図面を参照してこの発明の実施の形態を説明する。
ロックハンドル装置１は、閉扉位置において扉Ｄを固定枠体に対してロック・アンロックするラッチ機構（図示せず）を裏面側に備えた扉Ｄの前面側に取り付けられ、ラッチ機構をロック位置と非ロック位置に駆動操作する装置である。
図２に示すように、ケース２は、扉Ｄの前面側に固定される。図３に示すように、ケース２は、図において上部の前方に開放する軸受け凹部３と、図において下部の前方に開放する錠受け凹部４とを具備する。軸受け凹部３内に、軸線を前後方向に向け、前端を前方に露出させるように操作軸体５が設けられる。
【０００９】
操作軸体５は、ラッチ機構をロック位置と非ロック位置に駆動するように、ロック位置と非ロック位置の間を軸回り回転自在で、軸方向に固定される。
【００１０】
操作軸体５の前面側に、当該操作軸体５の軸線に対して直交方向の枢軸６により、ハンドル７が枢支される。
【００１１】
ハンドル７は、枢軸６を中心に、操作軸体５の前面に対して起伏回転自在で、ばね８で起立方向に回転付勢される。
【００１２】
ケース２の錠受け凹部４内に、鍵穴を前方に露出させて錠前９が固定される。錠前９は、鍵による施解錠操作で、デッドラッチ１０を解してハンドル７を倒伏位置に拘束し、また解放可能である。
【００１３】
デッドラッチ１０が、錠前９とハンドル７との間に渡るように、ケース２内に設けられる。デッドラッチ１０は、先端部がハンドル７側、基端部が錠受け凹部４の奥部側に配置され、図において上位の拘束位置と下位の解放位置との間で移動自在であり、拘束位置において先端部が倒伏状態のハンドル７に係合し、解放位置においてハンドル７から離脱してこれを解放する。デッドラッチ１０は、ばね１１で拘束位置側へ付勢される。
【００１４】
カム部材１２が、デッドラッチ１０の基端部と錠前９の後部との間に介在するように錠受け凹部４の奥部に設けられる。カム部材１２は、錠前９の施解錠動作に連動して施錠位置と解錠位置の間を回転自在で、施錠位置（図３）においてデッドラッチ１０を上位の拘束位置に置き、解錠位置（図７）においてデッドラッチ１０を下位の解放位置に置く。
【００１５】
錠前９は、概略円筒状のシリンダケース９ａと、鍵により施錠位置と解錠位置の間を回転操作可能にシリンダケース９ａ内に設けられたロータ９ｂとを具備する。ロータ９ｂは、後端部の平板状の係合部９ｃをシリンダケース９ａの後方へ突出させる。
【００１６】
カム部材１２は、概略円板状で、ロータ９ｂの係合部９ｃが嵌合する扁平角穴からなる係合部１２ａと、偏心位置において後方へ突出する駆動突部１２ｂとを具備し、ロータ９ｂに連動回転する。駆動突部１２ｂが、デッドラッチ１０の受動凹部１０ｄに係合し、カム部材１２の回転により、デッドラッチ１０を駆動する。
【００１７】
図３，４に示すように、操作軸体５は、大径の軸筒部１３と、ケース２から後方へ突出する角軸部１４と、ケース２の前面側に広がるフランジ部１５と、前面側に開放する正面視ほぼ方形のハンドル受け凹部１６とを具備する。
【００１８】
フランジ部１５は、図において概略下半部である下部フランジ部１５ａと、これに対して段部１５ｃを介して後方へ一段下がった上半部である上部フランジ部１５ｂとを具備する。上部フランジ部１５ｂは、正面視において下部フランジ部１５ａより小径に形成される。
【００１９】
軸筒部１３には、図４に示すように、下半部にほぼ半環状に伸びるデッドラッチ受け溝１３ａが形成される。図３に示すように、デッドラッチ受け溝１３ａは、中央においてハンドル受け凹部１６の下部に開口し、操作軸体５がロック位置にあるとき、デッドラッチ１０の先端部をハンドル受け凹部１６内へ突出させる。また、デッドラッチ受け溝１３ａは、操作軸体５がロック位置から非ロック位置に至るまでの回転角度範囲においてデッドラッチ１０の先端部を相対移動自在に受け入れる。
【００２０】
図５に示すように、ハンドル７は、正面視において概略扇型の握り板部７ａと、握り板部７ａから後方へ突出する枢止部７ｂと、枢止部７ｂの下部から握り板部７ａに対してほぼ直角に後方へ延出する係合部７ｃとを具備する。握り板部７ａは、倒伏状態において操作軸体５の上部フランジ部１５ｂの前面に重なり、前面が、下部フランジ部１５ａの前面に連続する。枢止部７ｂは、握り板部７ａから後方へ突出してハンドル受け凹部１６内に受け入れられる。係合部７ｃは、握り板部７ａの前面と平行な当接面７ｄと、前面に直角な摺接面７ｅとを具備する。
【００２１】
ハンドル７は、枢止部７ｂにおいて枢軸６により操作軸体５に枢支され、係合部７ｃにおいてデッドラッチ１０の先端部に係脱する。ハンドル７は、ばね８により起立方向（図３において反時計方向）へ回転付勢されているが、倒伏位置において拘束位置にあるデッドラッチ１０の先端部に係合部７ｃが係合することにより、回転を止められ、倒伏状態に拘束される。
【００２２】
デッドラッチ１０は、角棒状で、ケース２の内側形状に沿うように直角に二回屈折し、下向きに真っ直ぐ伸びる基端側１０ａと、これより前方において上向きに直ぐ伸びる先端側１０ｂと、中間において前後方向に延びる屈折部１０ｃとを具備する。基端側１０ａに、前方に開口する受動凹部１０ｄが設けられ、これにカム部材１２の駆動突部１２ｂが、上方に逃げ空間を残して緩く係合する。デッドラッチ１０は、ばね１１により先端側へ付勢されており、常時は屈折部１０ｃがケース２の内側に当接して上位の拘束位置に保持される。錠前９が施錠位置にあるとき、カム部材１２の駆動突部１２ｂはデッドラッチ１０の受動凹部１０ｄの下縁に当接している。デッドラッチ１０の先端側１０ｂには、ハンドル７の当接面７ｄに当接する拘束面１０ｅと、これと直交する摺接面１０ｆが設けられる。
【００２３】
錠前９は、鍵による解錠操作でカム部材１２を解錠位置（図７Ａ）へ回転させた後は、ばね１１によるデッドラッチ１０の復元に伴い、施錠位置へ自動復帰する（図７Ｂ）。
【００２４】
なお、錠前９は、同一形状の係合部９ｃを有し、ケース２の錠受け凹部４に装着可能な互換性を有するものを複数用意して、適宜交換可能とすることができる。例えば、現在は、多用されている比較的セキュリティー性能の低い安価な錠前を装着しておき、将来は、必要に応じて、セキュリティー性能のより高い異なる錠機構を持った他の錠前に交換するような使用態様をとり得る。
【００２５】
次に、このロックハンドル装置１の動作を説明する。図３において、扉Ｄは閉鎖位置でロックされている。この状態から、鍵により錠前９を解錠操作すると、カム部材１２が解錠位置へ回転し、図７Ａに示すように、デッドラッチ１０が解放位置へ押し下げられ、拘束面１０ｅがハンドル７の当接面７ｄから外れ、ハンドル７が前方へ起立する。鍵から手を離すと、図７Ｂに示すように、デッドラッチ１０が、ばね１１で瞬時に拘束位置へ復元し、同時に、錠前９も施錠位置へ復元する。起立したハンドル７を握って操作軸体５を非ロック位置へ回転させると、図示しないラッチが外れるから、前方へ引くと扉Ｄを開くことができる。
【００２６】
所要の作業を終えて扉Ｄを閉じたら、起立しているハンドル７を持って操作軸体５をロック方向へ回転させ、扉Ｄをロックする。次いで、ハンドル７を倒伏させると、図７Ｃに示すように、その途上で摺接面７ｅがデッドラッチ１０の摺接面１０ｆに摺接してデッドラッチ１０を解放位置へ押し下げ、相互の摺接が完了すると、デッドラッチ１０が拘束位置へ復帰し、拘束面１０ｅが当接面７ｄに当接して、図３に示すように、ハンドル７を倒伏位置に拘束する。
【符号の説明】
【００２７】
Ｄ    扉
１    ロックハンドル装置
２    ケース
３    軸受け凹部
４    錠受け凹部
５    操作軸体
６    枢軸
７    ハンドル
７ａ  握り板部
７ｂ  枢止部
７ｃ  係合部
７ｄ  当接面
７ｅ  摺接面
８    ばね
９    錠前
９ａ  シリンダケース
９ｂ  ロータ
９ｃ  係合部
１０  デッドラッチ
１０ａ  基端側
１０ｂ  先端側
１０ｃ  屈折部
１０ｄ  受動凹部
１０ｅ  拘束面
１０ｆ  摺接面
１１  ばね
１２  カム部材
１２ａ  係合部
１２ｂ  駆動突部
１３  軸筒部
１４  角軸部
１５  フランジ部
１５ａ  下部フランジ部
１５ｂ  上部フランジ部
１６  ハンドル受け凹部
【図１】
2015090033.tif 000003
【図２】
2015090033.tif 000004
【図３】
2015090033.tif 000005
【図４】
2015090033.tif 000006
【図５】
2015090033.tif 000007
【図６】
2015090033.tif 000008
【図７Ａ】
2015090033.tif 000009
【図７Ｂ】
2015090033.tif 000010
【図７Ｃ】
2015090033.tif 000011
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
閉扉位置において扉を固定枠体に対してロック・アンロックするラッチ機構を裏面側に備えた扉の前面側に取り付けられ、ラッチ機構をロック位置と非ロック位置に駆動操作するためのロックハンドル装置であって、
前記扉の前面側に固定され、前方に開放する軸受け凹部と、錠受け凹部とを具備するケースと、
前記ケースの軸受け凹部内に、軸線を前後方向に向け、前端を前方に露出させて設けられ、前記ラッチ機構をロック位置と非ロック位置に駆動するように、ロック位置と非ロック位置の間を軸回り回転自在で、軸方向に固定される操作軸体と、
前記操作軸体の前面側に、当該操作軸体の軸線に対して直交方向の枢軸により枢支され、操作軸体の前面に対して起伏自在で、起立方向に回転付勢されるハンドルと、
前記ケースの錠受け凹部内に、鍵穴を前方に露出させて固定され、鍵による施解錠操作で前記ハンドルを倒伏位置に拘束、解放可能な錠前と、
基端部が前記錠受け凹部の奥部に位置し、先端部が倒伏状態の前記ハンドルに係脱自在で、先端側へ移動した拘束位置でハンドルを拘束し、基端側へ移動した解放位置でハンドルを解放するように移動自在で、拘束位置側へ付勢されて前記ケース内に設けられるデッドラッチと、
前記デッドラッチの基端部と前記錠前の後部との間に配置され、錠前の施解錠動作に連動して施錠位置と解錠位置の間を回転自在で、施錠位置において前記デッドラッチを拘束位置に置き、解錠位置においてデッドラッチを解放位置に置くように、前記錠受け凹部の奥部に設けられるカム部材と、を具備し、
前記錠前は、概略円筒状のシリンダケースと、鍵により施錠位置と解錠位置の間を回転操作可能にシリンダケース内に設けられたロータとを具備し、このロータは、後端部の係合部をシリンダケースの後方へ突出させるように設けられ、
前記カム部材は、前記錠前のロータの係合部に係合する対応係合部を具備する扉のロックハンドル装置であって、
前記操作軸体は、前面側に開放するハンドル受け凹部と、回転範囲で前記デッドラッチの先端部を相対移動自在に受け入れロック位置においてハンドル受け凹部内へのデッドラッチの先端部の突出を許容するデッドラッチ受け溝とを具備し、
前記ハンドルは、前記操作軸体のハンドル受け凹部内に受け入れられて前記枢軸により枢支される枢止部と、倒伏位置において前記デッドラッチの先端部に係合する係合部とを具備し、この係合部に係合するデッドラッチにより倒伏位置に拘束されることを特徴とする扉のロックハンドル装置。
【請求項２】
前記操作軸体は、前記ケースの前面側に拡がる円板状のフランジ部を具備し、
前記ハンドルは、倒伏状態において前記フランジ部の前面の一部に重なる形状の握り板部を具備し、
前記フランジ部は、前面側の一部に、倒伏状態の前記ハンドルの握り板部を受けるように、段部を介して後方へ一段下がったハンドル受け部を具備することを特徴とする請求項１に記載の扉のロックハンドル装置。
【請求項３】
前記デッドラッチは、基端部において前記錠受け凹部の奥部に設けられたばねにより拘束位置側に付勢され、かつ基端部に、前記カム部材の駆動突部に係合する受動凹部を具備することを特徴とする請求項１又は２に記載の扉のロックハンドル装置。